(57)【要約】      （修正有）【課題】ファスナーの身頃への固着が改良されて雨水の浸入が防がれた構造を有するレインウェアを提供する。【解決手段】左右別々に設けられた一対の前身頃３２を有する身頃部と、一対の前身頃にそれぞれ設けられており互いに着脱自在に噛み合う一対の線ファスナー部材６１を有するファスナー部６とを具えたレインウェアであって、身頃部は、エチレン酢酸ビニル樹脂またはポリエチレン酢酸ビニル樹脂から成っており、ファスナー部の各線ファスナー部材６１は、務歯６１２を有するテープ６１１と、ホットメルト接着剤６１３によりテープ６１１に接着された結合部材６１４とを有し、結合部材６１４は、エチレン酢酸ビニル樹脂またはポリエチレン酢酸ビニル樹脂から成っていると共に対応の前身頃３２に熱溶着されている。【選択図】図４
0003190532.tif 000002
【実用新案登録請求の範囲】
【請求項１】
左右別々に設けられた一対の前身頃を有する身頃部と、前記一対の前身頃にそれぞれ設けられており互いに着脱自在に噛み合う一対の線ファスナー部材を有するファスナー部とを具えたレインウェアであって、
前記身頃部は、エチレン酢酸ビニル樹脂（ＥＶＡ）またはポリエチレン酢酸ビニル樹脂（ＰＥＶＡ）から成っており、
前記ファスナー部の各前記線ファスナー部材は、務歯を有するテープと、ホットメルト接着剤により前記テープに接着された結合部材とを有し、前記結合部材は、エチレン酢酸ビニル樹脂（ＥＶＡ）またはポリエチレン酢酸ビニル樹脂（ＰＥＶＡ）から成っていると共に対応の前記前身頃に熱溶着されていることを特徴とするレインウェア。
【請求項２】
前記身頃部には少なくとも１つの貫通開口が設けられており、
前記貫通開口を覆うように網状に形成されたメッシュ体と、
前記身頃部の外側で前記メッシュ体を覆うようにその一部が前記身頃部に固定されていると共に、前記メッシュ体および前記身頃部との間に外部に開口する通気空間を画成している遮蔽シートとを更に具えていることを特徴とする請求項１に記載のレインウェア。
【請求項３】
前記一対の前身頃と繋がっている後身頃を更に具え、
前記貫通開口は、前記後身頃に設けられており、
前記メッシュ体および前記遮蔽シートは、前記後身頃に固定されていることを特徴とする請求項２に記載のレインウェア。
【請求項４】
前記貫通開口は、前記一対の前身頃のいずれか一方に設けられており、
前記メッシュ体および前記遮蔽シートは、該一方の前記前身頃に固定されていることを特徴とする請求項２に記載のレインウェア。
【請求項５】
前記身頃部は、前記一対の前身頃の内のいずれか一方の前記前身頃の前縁から延伸して他方の前記前身頃の外表面と重なると共に前記ファスナー部を遮蔽するように設けられた延伸遮蔽部を更に有することを特徴とする請求項２〜４のいずれか一項に記載のレインウェア。
【請求項６】
前記延伸遮蔽部を前記他方の前記前身頃の外表面に着脱自在に固定する着脱手段を少なくとも１つ具えていることを特徴とする請求項５に記載のレインウェア。
【請求項７】
前記着脱手段は、前記他方の前記前身頃に固定されている第１の固定部材と、前記延伸遮蔽部に固定されており前記第１の固定部材と着脱自在に連結できる第２の固定部材を有することを特徴とする請求項６に記載のレインウェア。
【請求項８】
前記着脱手段は、前記延伸遮蔽部の上端に固定されていると共に前記他方の前記前身頃に向かって延伸している帯状部を更に有しており、前記第２の固定部材は、前記帯状部の延伸端に設けられていることを特徴とする請求項７に記載のレインウェア。
【考案の詳細な説明】
【技術分野】
【０００１】
本考案は、構造の改良が図られたレインウェアに関するものである。
【背景技術】
【０００２】
レインウェア（上下つながりのレインコート、上下別々のレインスーツを含む）は、着用者が着脱しやすいように通常前面にファスナーが設けられている。
【考案の概要】
【考案が解決しようとする課題】
【０００３】
しかしながら、従来のレインウェアでは、ファスナーのテープ部をレインウェア本体（身頃）に縫い合わせるようにして固着しているので、ファスナーと身頃の間には縫合の隙間が存在し、ここから雨水が浸入する。雨水の浸入を防ぐため、ファスナーを外側から覆う遮蔽部材が身頃に設けられたものもあるが、着脱の邪魔にならないよう、遮蔽部材はボタンやホックなどで一部が身頃に固定されるだけであり、雨水が遮蔽部材と身頃の間からファスナー側に入り込むので、雨水がファスナーと身頃の間の縫合の隙間から身頃の内側に侵入してしまうという問題点はやはり解決されていない。
【０００４】
本考案は、上記従来技術の問題点に鑑みてなされたものであり、その目的は、ファスナーの身頃への固着が改良されて雨水の浸入が防がれた構造を有するレインウェアの提供にある。
【課題を解決するための手段】
【０００５】
上記目的を達成するための手段として、本考案は、以下の手段を提供する。
【０００６】
即ち、左右別々に設けられた一対の前身頃を有する身頃部と、前記一対の前身頃にそれぞれ設けられており互いに着脱自在に噛み合う一対の線ファスナー部材を有するファスナー部とを具えたレインウェアであって、
前記身頃部は、エチレン酢酸ビニル樹脂（ＥＶＡ）またはポリエチレン酢酸ビニル樹脂（ＰＥＶＡ）から成っており、
前記ファスナー部の各前記線ファスナー部材は、務歯を有するテープと、ホットメルト接着剤により前記テープに接着された結合部材とを有し、前記結合部材は、エチレン酢酸ビニル樹脂（ＥＶＡ）またはポリエチレン酢酸ビニル樹脂（ＰＥＶＡ）から成っていると共に対応の前記前身頃に熱溶着されていることを特徴とするレインウェアを提供する。
【０００７】
また、本考案に係るレインウェアにあっては、前記身頃部には少なくとも１つの貫通開口が設けられており、前記貫通開口を覆うように網状に形成されたメッシュ体と、前記身頃部の外側で前記メッシュ体を覆うようにその一部が前記身頃部に固定されていると共に、前記メッシュ体および前記身頃部との間に外部に開口する通気空間を画成している遮蔽シートとを更に具えていることが好ましい。
【０００８】
また、前記一対の前身頃と繋がっている後身頃を更に具え、前記貫通開口は、前記後身頃に設けられており、前記メッシュ体および前記遮蔽シートは、前記後身頃に固定されていることが好ましい。
【０００９】
更に、前記貫通開口は、前記一対の前身頃のいずれか一方に設けられており、前記メッシュ体および前記遮蔽シートは、該一方の前記前身頃に固定されていることが好ましい。
【００１０】
また、前記身頃部は、前記一対の前身頃の内のいずれか一方の前記前身頃の前縁から延伸して他方の前記前身頃の外表面と重なると共に前記ファスナー部を遮蔽するように設けられた延伸遮蔽部を更に有することが好ましい。
【００１１】
加えて、本考案に係るレインウェアは、前記延伸遮蔽部を前記他方の前記前身頃の外表面に着脱自在に固定する着脱手段を少なくとも１つ具えていることが好ましい。
【００１２】
また、前記着脱手段は、前記他方の前記前身頃に固定されている第１の固定部材と、前記延伸遮蔽部に固定されており前記第１の固定部材と着脱自在に連結できる第２の固定部材を有するとよい。
【００１３】
更に、前記着脱手段は、前記延伸遮蔽部の上端に固定されていると共に前記他方の前記前身頃に向かって延伸している帯状部を更に有しており、前記第２の固定部材は、前記帯状部の延伸端に設けられていることが好ましい。
【考案の効果】
【００１４】
上記手段によれば、ファスナー部の各線ファスナー部材のテープが、ホットメルト接着剤と、身頃部と同じ材質からなる結合部材とにより、身頃部と熱溶着で固着されているので、ファスナー部と身頃部との間に隙間がなく、従来のレインウェアにおけるようなファスナー部と身頃部との間から雨水が染み入るといった問題が解決されている。
【図面の簡単な説明】
【００１５】
【図１】本考案に係るレインウェアの一実施形態を示す斜視図である。
【図２】本考案に係るレインウェアの一実施形態を示す部分正面図である。
【図３】本考案に係るレインウェアの一実施形態を示す部分背面図である。
【図４】本考案に係るレインウェアの一実施形態において、ファスナー部と身頃部との接着過程を説明する断面図である。
【考案を実施するための形態】
【００１６】
以下、添付図面を参照しながら、本考案に係るレインウェアの具体的な一実施形態を詳細に説明する。
【００１７】
図１に斜視図で、図２に正面図で、図３に背面図で示されているように、本実施形態に係るレインウェアは、身頃部３と、網状に形成されて身頃部３に設けられているメッシュ体４と、メッシュ体４を外側から覆うように身頃部３に設けられている遮蔽シート５と、それぞれ身頃部３に固定されているファスナー部６と着脱手段７とを具えている。なお、以下の説明における左右とは、着用者から見た場合の左右である。
【００１８】
身頃部３は、エチレン酢酸ビニル樹脂（ＥＶＡ）、ポリエチレン酢酸ビニル樹脂（ＰＥＶＡ）のいずれかから成っている。
【００１９】
また、身頃部３は、上下に長く延伸するように形成されており着用者の背中側を覆う後身頃３１と、後身頃３１の左右両端からそれぞれ前方に延伸するように左右別々に設けられた一対の前身頃３２、３２と、左右いずれか一方（図示では左側）の前身頃３２（以下、単に「一方の前身頃３２」）の前縁から延伸して他方（図示では右側）の前身頃３２（以下、単に「他方の前身頃３２」）の外表面と重なる延伸遮蔽部３３と、左右の前身頃３２、３２と後身頃３１が接する箇所からそれぞれ外側に延伸するように形成されており着用者が腕を通す左右一対の袖部３５、３５と、後身頃３１、前身頃３２および延伸遮蔽部３３それぞれの上端に据え付けられており着用者の頭部を覆うフード３４とからなっている。
【００２０】
後身頃３１の上端近くには、図１および図３に示されているように、後身頃３１を前後に貫通する貫通開口３１０が設けられており、メッシュ体４は、この貫通開口３１０を覆うように後身頃３１に固定されている。
【００２１】
遮蔽シート５は、図３に示されているように、メッシュ体４を上から覆うように、その上辺と左右両辺とが後身頃３１の外表面に固定されている。また、遮蔽シート５の下辺は後身頃３１に固定されておらず垂れ下がった状態になっており、遮蔽シート５と、メッシュ体４および後身頃３１との間には、貫通開口３１０を介してレインウェアの内部空間と連通すると共に下方に向かって外部に開口する通気空間５０が画成されている。なお、図３の背面図は遮蔽シート５を透視して示したものであり、実際に背面から見た場合、貫通開口３１０およびメッシュ体４は遮蔽シート５により遮蔽されている。
【００２２】
着脱手段７は、延伸遮蔽部３３を、上記他方（図示では右側）の前身頃３２の外表面に着脱自在に固定するために設けられるものである。具体的には、着脱手段７は、上記他方の前身頃３２の外表面上端付近に固定されている第１の固定部材７１と、その一端が延伸遮蔽部３３の上端に固定されていると共に他端側が上記他方の前身頃３２に向かって延伸している帯状部７２と、帯状部７２の延伸端に固定されており第１の固定部材７１と着脱自在に連結できる第２の固定部材７３とを有する。
【００２３】
第２の固定部材７３を第１の固定部材７１に連結させることにより、帯状部７２および延伸遮蔽部３３の少なくとも上端付近を上記他方の前身頃３２に固定することができ、これにより延伸遮蔽部３３が例えば風などの外力により捲れあがることを防ぐことができる。
【００２４】
本実施形態においては、第１の固定部材７１および第２の固定部材７３として一組のスナップボタンを用いたが、例えば面ファスナーを用いることも可能である。更に、本実施形態では、着脱手段７を前身頃３２の上端付近に１つ設けたが、延伸遮蔽部３３の上記他方の前身頃３２への固定をより安定させるために、着脱手段７を前身頃３２における異なる箇所に複数設けてもかまわない。
【００２５】
ファスナー部６は、図１、図２および図４に示されているように、上下に長く延伸していると共に左右一対の前身頃３２、３２の前縁にそれぞれ固着されており着脱自在に噛み合う左右一対の線ファスナー部材６１、６１を有する。
【００２６】
左右一対のファスナー部材６１は、それぞれ、布材料からなるテープ６１１と、左右で向かい合うように各テープ６１１の延伸方向の一側に一列ずつ設けられている務歯６１２と、各テープ６１１において務歯６１２が設けられているのと反対の側に熱溶着されて固定されているホットメルト接着剤６１３と、エチレン酢酸ビニル樹脂（ＥＶＡ）、ポリエチレン酢酸ビニル樹脂（ＰＥＶＡ）のいずれかから成っていると共にホットメルト接着剤６１３を介して各テープ６１１に接着されている結合部材６１４とを有しており、各結合部材６１４は、左右対応の前身頃３２に熱溶着、例えば高周波熱溶着されている。
【００２７】
図４に示されているように、本実施形態において、各ファスナー部材６１を身頃部３に固着するに当たっては、ＥＶＡまたはＰＥＶＡからなる結合部材６１４を、ホットメルト接着剤６１３によりテープ６１１の表面に固着した後で、結合部材６１４を、身頃部３の前身頃３２の前縁における表面に重ね合わせてから、高周波ホットプレス熱溶着法を用いて、ホットメルト接着剤６１３を溶かしてテープ６１１中に染み込ませることで結合部材６１４をテープ６１１に固定すると共に、同種の材料（ＥＶＡ或いはＰＥＶＡ）からなっている結合部材６１４と前身頃３２同士を熱溶着させて一体にした。これにより、図４に示されている熱溶着箇所６００が形成されて、各ファスナー部材６１が身頃部３に強固に且つ互いの間に隙間なく緊密に固着される。
【００２８】
本実施形態においては、ファスナー部６が上述のようにその一部が身頃部３と一体になるように固着されており、ファスナー部６と身頃部３との間に例えば縫合により固着した際にできるような隙間がないので、ファスナー部６と身頃部３との連結が強固であるだけでなく、それらの間から雨水が入り込むこともない。
【００２９】
また、本実施形態に係るレインウェアは、ファスナー部６と身頃部３とが隙間なく一体に連結されていることからレインウェアの内部空間の密閉性が上がったことにより着用時に熱気がこもりやすくなりうるが、上述のように後身頃３１の上端近くに貫通開口３１０が設けられているので、着用した際にレインウェアの内部空間にこもる熱気や湿気は、貫通開口３１０から後身頃３１の外側の通気空間５０に排出されて通気空間５０下方における開口から外部に排出されるので、着用時に起こりうる蒸れた感じは大幅に抑えられている。
【００３０】
以上のように、本実施形態に係るレインウェアは、ファスナー部６の各線ファスナー部材６１のテープ６１１が、ホットメルト接着剤６１３と、身頃部３と同じ材質からなる結合部材６１４とによって、身頃部３と熱溶着されているので、ファスナー部６と身頃部３との間に隙間がなく、従来のレインウェアにおけるようなファスナー部と身頃部との間から雨水が染み入るといった問題が解決されている。更に、ファスナー部６と身頃部３との固着が強固なので、構造強度も高くなり、丈夫である。また、身頃部３に貫通開口３１０が設けられており通気性も向上されている。
【００３１】
以上、本考案の好ましい実施形態を説明したが、本考案はこれに限定されるものではなく、その要旨を逸脱しない範囲で種々変更可能であることはいうまでもない。
【００３２】
例えば、本実施形態では、当該レインウェアを上下一繋がりのレインコートとして説明したが、これに限らず、上下別々のレインスーツとして構成することも可能である。また、本実施形態では貫通開口３１０を一つだけ設けたが、これに限らず、貫通開口３１０を後身頃３１に複数個設けてもよく、この場合、メッシュ体４および遮蔽シート５も対応して複数個設けてもよい。更に、貫通開口３１０を一対の前身頃３２、３２のいずれか一方または両方に設けてもよく、この場合は、メッシュ体４および遮蔽シート５もこれに対応して前身頃３２に設けられる。
【００３３】
また例えば、本実施形態においては、フード３４は、後身頃３１と前身頃３２と延伸遮蔽部３３それぞれの上端と一体に設けたが、取り外せるように構成することも可能である。また、着脱手段７の帯状部７２を設けずに、第２の固定部材７３を前身頃３２に直接設けても構わない。
【産業上の利用可能性】
【００３４】
本考案に係るレインウェアは、雨水の内部への侵入が防がれて信頼性が向上した雨具として有用である。
【符号の説明】
【００３５】
３        身頃部
３１      後身頃
３１０    貫通開口
３２      前身頃
３３      延伸遮蔽部
３４      フード
３５      袖部
４        メッシュ体
５        遮蔽シート
５０      通気空間
６        ファスナー部
６１      線ファスナー部材
６１１    テープ
６１２    務歯
６１３    ホットメルト接着剤
６１４    結合部材
７        着脱手段
７１      第１の固定部材
７２      帯状部
７３      第２の固定部材
【図１】
0003190532.tif 000003
【図２】
0003190532.tif 000004
【図３】
0003190532.tif 000005
【図４】
0003190532.tif 000006